(57)【要約】【課題】光ディスクの情報記録面の法線と光ピックアップの光軸とを正確かつ容易に一致させるように光ピックアップの傾き補正を行う調整構造を有する光ディスク装置を提供する。【解決手段】光ピックアップ１２を支持するピックアップベース２０の一端を可撓性の板バネ部材３２で支持し、他方側を前記板バネ部材３２を中心にピックアップベース２０を基台に対して接離方向に変位させる、離間した一対のネジ部材３４で支持する。そして、一対のネジ部材３４のみの調整で、板バネ部材３２を撓ませ、または、捻り、ピックアップベース２０を傾き補正し、光ピックアップ１２の光軸を光ディスクの情報記録面の法線と一致するように調整する。【選択図】図２
2005116075.tif 000002
【特許請求の範囲】
【請求項１】
情報記録媒体である光ディスクを回転自在に支持するターンテーブルと、
前記ターンテーブルに支持された光ディスクの情報記録面に臨み、情報の読み出し、または書き込み及び読み出しを行う光ピックアップと、
基台上に載置され、前記光ピックアップを光ディスク半径方向に摺動自在に支持するピックアップベースと、
を含む光ディスク装置であって、
前記ピックアップベースは、光ディスク接線方向の辺の一辺側を可撓性の板状部材で支持され、他方側を前記板状部材を中心にピックアップベースを前記基台に対して接離方向に変位させる、離間した一対の調整部材で支持され、当該ピックアップベースは、前記調整部材の操作により支持する光ピックアップの光軸を光ディスクの情報記録面の法線と一致するように調整可能にすることを特徴とする光ディスク装置。
【請求項２】
請求項１記載の装置において、
前記板状部材の光ディスク半径方向の中心線は、光ディスク半径方向に摺動する光ピックアップの中心と一致するように固定されていることを特徴とする光ディスク装置。
【請求項３】
請求項１または請求項２記載の装置において、
前記板状部材は、一対の調整部材の同方向の調整により、光ディスク半径方向に撓み、ピックアップベースの光ディスク半径方向の傾き調整を行うと共に、一対の調整部材の異方向の調整により光ディスクのトラックの接線方向に捻れ、ピックアップベースの光ディスクのトラックの接線方向の傾き調整を行うことを特徴とする光ディスク装置。
【請求項４】
請求項１から請求項３のいずれか１つに記載の装置において、
前記板状部材は、板バネで構成されていることを特徴とする光ディスク装置。
【請求項５】
請求項１から請求項４のいずれか１つに記載の装置において、
前記調整部材は、ネジ部材で構成されていることを特徴とする光ディスク装置。
【請求項６】
請求項５記載の装置において、
前記基台とピックアップベースとの間に弾性部材が配置され、前記ネジ部材の締め込み方向に反する方向にピックアップベースを常時付勢することを特徴とする光ディスク装置。
【請求項７】
請求項１から請求項６のいずれか１つに記載の装置において、
前記ターンテーブルは、光ディスクの非記録面と当接する断面略傘状の凹面形状を呈し、光ディスクはターンテーブル装着時に、前記凹面形状に沿い押圧され矯正変形させられ、
前記ピックアップベースは、矯正変形した光ディスクの情報記録面の法線と光ピックアップの光軸が一致するように傾き調整されることを特徴とする光ディスク装置。
【請求項８】
請求項１から請求項７のいずれか１つに記載の装置において、
前記板状部材は、光ディスク半径方向の側辺側に切り欠き部を有することを特徴とする光ディスク装置。
【発明の詳細な説明】
【技術分野】
【０００１】
本発明は、光ディスク装置、特に、光ディスクの情報記録面の法線と光ピックアップの光軸とを正確かつ容易に一致させるように光ピックアップの傾き補正を行う調整構造の改良に関する。
【背景技術】
【０００２】
一般に、情報記録媒体である光ディスクから情報の読み出し、または情報の書き込み及び読み出しを行う光ディスク装置には、光ピックアップが搭載されている。この光ピックアップは、ターンテーブル上で回転する光ディスクの半径方向に移動しながら情報の読み出しまたは書き込みを行っている。ここで、光ピックアップが光ディスクから正確に情報を読み出しまたは書き込みを行う場合、光ピックアップの光軸と光ディスクの情報記録面の法線とが一致した状態で行われることが望ましい。
【０００３】
しかし、光ピックアップは、前述したように光ディスクの半径方向に摺動する摺動機構に保持されているので、摺動機構の取り付け誤差や摺動機構を構成する各部品の加工誤差等により設計値に対し傾きを含んでいる。同様に、光ディスクを保持し回転させるターンテーブルも組みつけ誤差や加工誤差による傾きを有している。その他、種々の部品が光ディスクと光ピックアップの相対位置を決定するために利用されており、それぞれ傾き発生要因を含んでいる。つまり、光ピックアップの光軸と光ディスクの情報記録面の法線とが一致せず傾く原因になっている。この傾きは、読み出しまたは書き込み時の時間軸方向の変動成分ジッタとの相関を持っており、ジッタはこの傾きが大きくなるほど増えてゆく。
【０００４】
そのため、光ディスク装置には、組み立て後に光ピックアップの光軸と光ディスクの情報記録面の法線とが一致するように傾き補正する調整機構を有するものがある。例えば、特許文献１の光ディスク装置においては、光ピックアップをガイドする２本のガイドシャフトの高さ調整を行うことにより、前述した傾き補正を行っている。また、特許文献２の光ディスク装置では、光ピックアップに設けられたチルトセンサにより、光ピックアップの光軸と光ディスクの情報記録面の法線とが成す角度を検出している。そして、その検出結果に基づいて、光ピックアップを支持する可動ベースを光ディスクの半径方向に傾けることにより、前述の傾き補正をリアルタイムで行っている。
【０００５】
【特許文献１】特開平１１−２０３８０１号公報
【特許文献２】特開平１１−１６１９９１号公報
【発明の開示】
【発明が解決しようとする課題】
【０００６】
しかし、特許文献１のように、光ピックアップをガイドするガイドシャフトの高さ調整を行うことにより、光ピックアップの傾き補正を行う場合、２本のガイドシャフトの平行度を維持しながら調整を行う必要があり非常に困難であった。この平行度が崩れると、光ピックアップの摺動性能を損なうばかりか、光ピックアップを摺動させるために駆動機構、例えばモータからの動力を伝達するギアとの噛み合わせ具合等も変化してしまい、摺動そのものも不能になる場合も生じる。また、特許文献２のように可動ベースを光ディスクの半径方向に傾ける場合、特許文献１のような不都合は回避できるが、傾き補正方向が、光ディスクの半径方向のみになってしまう。光ピックアップの場合、品質ばらつきにより光軸自体が傾いている場合があり、光ディスクのトラックの接線方向の傾き補正を必要とする場合がある。つまり、いずれの方法においても十分な傾き補正を行うことができないという問題がある。もちろん、ガイドシャフトの高さ調整を行う方式の場合、一方のガイドシャフトの調整を行うことでトラックの接線方向の傾き調整を行うことは可能であるが、前述したように、他方のガイドシャフトとのバランスやギアとのバランスを維持することが非常に困難であり、容易かつ十分な傾き補正を実現することができなかった。
【０００７】
さらに、最近では、ＤＶＤに対し読み出しや書き込みが行われるようになり、傾き補正の高精度化の要求が高まっている。
【０００８】
そこで、本発明は、光ディスクの情報記録面の法線と光ピックアップの光軸とを正確かつ容易に一致させるように光ピックアップの傾き補正を行う調整構造を有する光ディスク装置を提供することを目的とする。
【課題を解決するための手段】
【０００９】
本発明は、情報記録媒体である光ディスクを回転自在に支持するターンテーブルと、前記ターンテーブルに支持された光ディスクの情報記録面に臨み、情報の読み出し、または書き込み及び読み出しを行う光ピックアップと、基台上に載置され、前記光ピックアップを光ディスク半径方向に摺動自在に支持するピックアップベースと、を含む光ディスク装置であって、前記ピックアップベースは、光ディスク接線方向の辺の一辺側を可撓性の板状部材で支持され、他方側を前記板状部材を中心にピックアップベースを前記基台に対して接離方向に変位させる、離間した一対の調整部材で支持され、当該ピックアップベースは、前記調整部材の操作により支持する光ピックアップの光軸を光ディスクの情報記録面の法線と一致するように調整可能にすることを特徴とする。
【００１０】
ここで、光ピックアップの光軸を光ディスクの情報記録面の法線と一致するような調整とは、完全な一致を意味するのではなく、所望の読み出しまたは書き込みを行うことのできる許容範囲内に光ピックアップの光軸と光ディスクの情報記録面の法線とが収まっていることを意味する。
【００１１】
この構成によれば、ピックアップベースの一方側に配置された一対の調整部材を操作するのみで、可撓性の板状部材を撓ませて、ピックアップベースを任意の方向に傾き補正することができる。この時、ピックアップベースは、板状部材により基台に固定されるので、基台に対して傾くのみで、傾き以外のバランスを崩すことなく、容易かつ正確な傾き調整のみを行うことができる。
【００１２】
また、本発明は、上記構成において、前記板状部材の光ディスク半径方向の中心線は、光ディスク半径方向に摺動する光ピックアップの中心と一致するように固定されていることを特徴とする。
【００１３】
光ピックアップは、光ディスク半径方向に移動するが、板状部材の光ディスク半径方向の中心線と、光ディスク半径方向に摺動する光ピックアップの中心とを一致するように固定しておくことにより、つまり、板状部材を光ピックアップの対物レンズの移動軌跡延長線に対して線対称に配置しておくことにより、ピックアップベースの傾き調整を行った場合でも、光ピックアップは光ディスク半径方向の中心線上で回転するのみであり、光ディスクと光ピックアップとの相対距離が変化することなく、傾き補正を行うことが可能となる。
【００１４】
また、本発明は、上記構成において、前記板状部材は、一対の調整部材の同方向の調整により、光ディスク半径方向に撓み、ピックアップベースの光ディスク半径方向の傾き調整を行うと共に、一対の調整部材の異方向の調整により光ディスクのトラックの接線方向に捻れ、ピックアップベースの光ディスクのトラックの接線方向の傾き調整を行うことを特徴とする。
【００１５】
この構成によれば、容易な調整作業により、板状部材の撓み調整と捻れ調整を実現し微妙な傾き補正を行うことができる。
【００１６】
なお、前記板状部材は、例えば板バネで構成することができる。この場合、板バネの復元力により、調整部材による調整方向と逆の付勢力が働くため、正確かつ微妙な調整を容易に行うことができる。
【００１７】
また、前記調整部材は、ネジ部材で構成することが可能であり、調整作業を容易に行うことができる。さらに、前記基台とピックアップベースとの間に弾性部材を配置し、前記ネジ部材の締め込み方向に反する方向にピックアップベースを常時付勢するようにすることができる。この場合、ネジ部材による締め込み調整をより正確に行うことが可能になる。
【００１８】
また、本発明は、上記構成において、前記ターンテーブルは、光ディスクの非記録面と当接する断面略傘状の凹面形状を呈し、光ディスクはターンテーブル装着時に、前記凹面形状に沿い押圧され矯正変形させられ、前記ピックアップベースは、矯正変形した光ディスクの情報記録面の法線と光ピックアップの光軸が一致するように傾き調整されることを特徴とする。
【００１９】
通常、光ディスクは、樹脂成形されており、温度や湿度その他、外部要因によって反りを生じている。この反り量は、光ディスクの規格で許容範囲が定められているが、その範囲内においてもまちまちである。そこで、光ディスクの非記録面と当接するターンテーブルの当接面を断面略傘状の凹面形状にして、その凹面形状に光ディスクを押圧することにより、光ディスクを凹面形状に沿う一定形状に矯正する。その上で、凹面形状に沿って傾いた情報記録面の傾斜に倣ってピックアップベースを傾き補正する。その結果、光ディスクの反りを考慮した上での傾き補正を行い、正確な光ディスクの読み込みまたは書き込みを行うことができる。
【００２０】
なお、前記板状部材は、光ディスク半径方向の側辺側に切り欠き部を有することが望ましい。この場合、板状部材の切り欠き部に調整部材の調整による撓みや捻れを集中させることが可能になり、他の部分、例えば、ピックアップベース等を変形してしまうことを防止することができる。
【発明を実施するための最良の形態】
【００２１】
以下、本発明の実施の形態（以下実施形態という）を、図面に従って説明する。
【００２２】
図１は、本実施形態の光ディスク装置１０の光ピックアップ１２を中心とした要部説明図である。情報記録媒体である光ディスク１４は、例えば、情報の読み出し、または情報の書き込み及び読み出しが可能なＣＤやＤＶＤ等であり、光ディスク装置１０のハウジング（不図示）の内外を出入りするディスクトレー１６の収納位置１６ａに載置された状態で、前記光ピックアップ１２の動作領域に搬送される。光ピックアップ１２は、ハウジングに固定された基台１８上に載置されたピックアップベース２０に支持され、動作領域に搬送されてきた光ディスク１４の半径方向に移動しながら、情報の読み取りまたは書き込みを行う。
【００２３】
光ディスク１４は、前記動作領域において、高速で回転することにより情報の読み書きを行う。そのため、高速回転するターンテーブル上で固定される必要がある。一般的な光ディスク装置においては、光ピックアップ等が配置されるピックアップベース上にターンテーブルが設けられているが、本実施形態においては、図１に示すように、アーチ型のブラケット２２に回転自在にターンテーブル２４が下向きに軸支されている。ブラケット２２の上にはモータ（不図示）が固定され、ターンテーブル２４を安定的に高速回転させている。一方、基台１８上には、光ディスク１４をターンテーブル２４の底面側に押圧固定するクランパ２６を昇降させるための昇降機構２８が配置されている。クランパ２６は、ピックアップベース２０を貫通するシャフト２６ａにより支持され、ピックアップベース２０の挙動とは全く分離した状態で、昇降動作を行い、ディスクトレー１６により搬送されてきた光ディスク１４をターンテーブル２４に固定する。そして、ターンテーブル２４の高速回転により光ディスク１４が回転することになる。
【００２４】
クランパ２６の上面とターンテーブル２４の裏面中央部には、例えばマグネットがそれぞれ配置され、光ディスク１４は一対のマグネットにより強固に挟持され、安定した高速回転ができるようになっている。なお、本実施形態においては、高速回転するターンテーブル２４は、光ピックアップ１２が支持されているピックアップベース２０と実質的に分離されているので、ターンテーブル２４を回転させるモータ等の振動が光ピックアップ１２に直接伝達されることはなく、ターンテーブル２４の回転が光ピックアップ１２の検出ノイズになることを防止することができる。
【００２５】
前述したように、光ピックアップ１２は、光ディスク１４の半径方向に移動しながら、情報の読み取りまたは書き込みを行うため、ピックアップベース２０上で、例えば、ガイドバー３０（１本のみ図示しているが、２本以上が好ましい）に沿って、ラックピニオン機構等の駆動機構により移動する。この時、光ピックアップ１２の光軸は、ターンテーブル２４に支持され回転する光ディスク１４の情報記録面の法線と一致するように配置されなければならない。この光軸と法線が一致しない場合、読み出しまたは書き込み時の時間軸方向の変動成分ジッタの原因となり、光ディスク装置１０の性能低下の原因になる。
【００２６】
ところが、前述したように、光ピックアップ１２はガイドバー３０やピックアップベース２０に機械的に係合している。そのため、各部品の加工精度や組み立て精度により、前記光軸と法線が傾いてしまう。また、光ディスク１４自体が反っていたり、光ピックアップ１２自身の光軸の傾き等がある。このような様々な要因により、個々の光ディスク装置１０で光軸と法線が一致しないことが多いため、光ディスク装置１０は、組み立て後、または組み立て途中で、個体毎に光軸と法線の調整が必要になる。この場合、光軸と法線の両者間の傾きは、光ディスク半径方向の傾きと、光ディスクのトラックの接線方向の傾き及びその合成方向の傾きとなる。本実施形態においては、これらの傾きを補正し光軸と法線を容易に一致させるために、可撓性の板状部材と一対の調整部材を設けている。そして、この時、一対の調整部材の調整のみで、傾き補正を実現している。
【００２７】
本実施形態において、具体的には、可撓性の板状部材として、板状のバネ部材３２でピックアップベース２０の一端を支持し、他端を一対の調整部材としてネジ部材３４で基台１８に対して垂直方向に移動可能に固定している。
【００２８】
図２には、バネ部材３２と一対のネジ部材３４で傾き補正可能に固定されるピックアップベース２０の上面概略図が示されている。また、図３には、基台１８上に固定されたピックアップベース２０の側面概略図が示されている。なお、図３においては、各部品が理解しやすいように部品毎に任意の位置で断面を取っている。
【００２９】
図２及び図３を用いて、光ピックアップ１２の駆動機構の詳細を説明する。光ピックアップ１２は、対物レンズ１２ａ及びレーザ発光部とその駆動回路等が一体化されたパッケージ３６で構成され、平行度が出された一対のガイドバー３０がパッケージ３６の一部を摺動自在に挿通している（図３参照）。また、パッケージ３６の一部には、ラック３８が固定され、ピックアップベース２０上で減速ギア４０（図３ではギアボックス４０ａとして図示）により減速されたピニオンギア４２により、光ピックアップ１２が対面する光ディスク１４の半径方向に正確に移動できるようになっている。なお、減速ギア４０は、ピックアップベース２０の裏面側に固定されたモータ４４（図３参照）の軸に固定されたギア４６と噛合している。
【００３０】
また、図２に示すように、ラック３８の移動経路上両端には、リミットスイッチ４８が配置され、ラック３８、すなわち光ピックアップ１２のオーバラン防止信号や光ピックアップ１２の移動完了検出信号等を出力している。
【００３１】
図３に示すように、クランパ２６は、ピックアップベース２０に形成された開口部５０を挿通するシャフト２６ａにより支持されている。シャフト２６ａはフランジ５２を介して基台１８に形成されたガイドプレート５４にガイドされながら、図示しないアクチュエータ（図１では、昇降機構２８として図示）、例えばモータを用いたカム機構やラックピニオン機構等により昇降する。図３から明らかなように、シャフト２６ａは大きな開口部５０を挿通しているので、後述するようにピックアップベース２０を傾き調整してもクランパ２６の昇降動作には何ら影響を与えることがない。また、クランパ２６が光ディスク１４をクランプしている場合には、ターンテーブル２４と共に、クランパ２６の上部の回転自在部分が従動回転する。この時、ターンテーブル２４側で振動等が発生した場合、その振動がクランパ２６側にも伝達されるが、前述したように、ピックアップベース２０とクランパ２６は完全分離されているので、振動等の伝達は発生しない。
【００３２】
なお、図３において、参考的にターンテーブル２４を図示している。光ディスク１４は、樹脂成形品であるため成形状態や温度湿度の影響で個々に反りを生じている。この反りは、光ピックアップ１２の処理可能許容範囲内であれば、問題にならない。光ピックアップ１２におけるこの処理許容範囲は、ＣＤの情報読み出しを行う場合には、ある程度大きく設定することができたが、ＣＤへの情報書き込み、ＤＶＤの情報読み出し、さらにはＤＶＤの情報書き込みのように処理内容に高精度が要求されると、処理許容範囲は狭くなる。そのため、本実施形態で、光ディスク１４に反りを有するか否かに関わらず、光ディスク１４のターンテーブル２４への装着時にその形状を一定の形状に矯正するようにしている。つまり、ターンテーブル２４の光ディスク１４の非記録面が当接する面側を、その断面が略傘状の凹面形状を呈するようにしている。その結果、光ディスク１４がクランパ２６によってターンテーブル２４に押圧される装着時に、光ディスク１４が前記凹面形状に沿い一定の形状に矯正変形されるようにしている。
【００３３】
その結果、光ディスク１４の反りの大小に関わらず、情報記録面の法線と光ピックアップ１２の光軸の傾き要因のうち光ディスク１４自身が原因となる部分を排除することができる。つまり、光ディスク装置１０側で法線と光軸の傾き調整ができれば、如何なる光ディスク１４が挿入されても光ディスク装置１０では良好な情報の読み出しまたは書き込み処理を行うことができる。なお、図３においては、光ディスク１４の矯正を理解しやすくするため、ターンテーブル２４の凹面形状を過剰表現しているが、実際は、角度αは、０．５°以下の極僅かな傾きである。また、図３において、実際のターンテーブル２４の配置位置は、クランパ２６が上昇完了した状態で、光ディスク１４がターンテーブル２４の下面に密着する位置である。
【００３４】
本実施形態では、前述したように、光ディスク装置１０の各構成部品の加工精度や組み立て精度に起因して発生する前記法線と前記光軸の傾きを補正するために、板バネ部材３２及び一対のネジ部材３４を用いている。図２、図３に示すように板バネ部材３２は、ピックアップベース２０の一端に固定されている。その固定位置は、板バネ部材３２の中心線（光ディスク半径方向の中心線）は、摺動する光ピックアップ１２の中心（具体的には、対物レンズ１２ａ）と一致するように固定されている。すなわち、板バネ部材３２が光ピックアップ１２の対物レンズ１２ａの移動軌跡延長線に対して線対称に配置されている。一方、ネジ部材３４は、ピックアップベース２０において、板バネ部材３２が配置された側と対向する側で、例えば、光ディスクの接線方向に離間した状態で配置されている。なお、図３に示すように、ピックアップベース２０と基台１８との間には、弾性部材として、例えば、コイルスプリング５６が挿入され、ネジ部材３４の締め込み方向に反する方向にピックアップベース２０を常時付勢するようになっている。その結果、ネジ部材３４の微妙な締め込み調整を容易に行えるようになると共に、ネジ部材３４のバックラッシによるがたつきを抑制することができる。
【００３５】
このようにピックアップベース２０に配置される板バネ部材３２と一対のネジ部材３４によるピックアップベース２０、すなわち光ピックアップ１２の傾き補正の手順について説明する。なお、本実施形態において、光ピックアップ１２をガイドしている２本のガイドバー３０は互いに平行であり、ラック３８とピニオンギア４２の噛合は光ピックアップ１２の摺動範囲内において良好に行えるように調整されているものとする。
【００３６】
前述したように、光ピックアップ１２の傾き調整はターンテーブル２４に固定した光ディスク１４の情報記録面の法線と光ピックアップ１２の光軸が一致するように調整する必要がある。光軸と法線が一致しているか否かを検証する方法としては、実際にターンテーブル２４にダミーの光ディスク１４を装着し、光ピックアップ１２を駆動し、光軸と法線が一致しているか検出する方法や、外部の測定器からレーザビームを例えば、ターンテーブル２４の裏面と平行な上面及び、２本のガイドバー３０に掛け渡したダミープレートに当て、ガイドバー３０の光ディスク半径方向に延びる軌道（すなわち、光ピックアップ１２の移動軌道）とターンテーブル２４の裏面に沿う光ディスク半径方向に延びるラインとが一致しているかを検証し、その結果得られる傾きを抑制する方向に、ネジ部材３４の少なくともいずれか一方を締め込みまたは緩める。
【００３７】
この時、例えば、ピックアップベース２０が初期状態で、基台１８に対し平行であった場合、２本のネジ部材３４を同じ方向に同じ量だけ回せば、ピックアップベース２０は、板バネ部材３２の撓みにより図３中の矢印Ａ方向に傾き調整される。
【００３８】
一方、２本のネジ部材３４のいずれか一方を回すか、両者を互いに逆方向、または、両者の回し量を異ならせることにより、ピックアップベース２０は、板バネ部材３２の捻れにより図２中の矢印Ｂ方向に傾き調整される。
【００３９】
ここで、ターンテーブル２４は、断面略傘状の凹面形状を呈しており、その傾斜に沿って光ディスク１４を矯正変形させるため、凹面形状の傾斜角度αだけ、ピックアップベース２０のネジ部材３４側を低く傾き補正を行う必要があるが、前述のように２本のネジ部材３４をバランスを取りながら調整することにより、ピックアップベース２０を傾斜角度αに容易に一致させることができる。なお、ネジ部材３４は、光ディスク１４の装着状態でディスク最外周位置より外周側の位置でピックアップベース２０に配置される。そのため、ターンテーブル２４等と干渉することなく、容易にネジ部材３４を回動調整可能である。
【００４０】
また、前述したように、板バネ部材３２の中心線（光ディスク半径方向の中心線）は、摺動する光ピックアップ１２の中心（具体的には、対物レンズ１２ａ）と一致するように固定されている。すなわち、板バネ部材３２が光ピックアップ１２の対物レンズ１２ａの移動軌跡延長線に対して線対称に配置されているので、矢印Ｂ方向の調整により板バネ部材３２を捻る場合、光ピックアップ１２は中心線の周りを回転するのみである。従って、光ピックアップ１２がガイドバー３０に沿って摺動する場合も、光ディスク１４の情報記録面と対物レンズ１２ａとの距離は一定に保たれ、光ディスク１４の全面において良好な情報の読み出しまたは書き込みを行うことができる。
【００４１】
なお、本実施形態において、板バネ部材３２の形状は、光ディスク半径方向の両側辺側にそれぞれ切り欠きを有する形状、すなわち、図２に示すように平面視でアルファベットの略「Ｈ」字形を呈しているが、これは、ネジ部材３４の操作によりピックアップベース２０が傾く時に発生する応力が板バネ部材３２に集中的に作用するように配慮したものである。このような形状にすることにより、板バネ部材３２とピックアップベース２０との接続及び板バネ部材３２と基台１８との接続を強固にできると共に、撓みや捻れを全て板バネ部材３２で吸収することが可能となる。なお、光ディスク装置１０の場合、光ピックアップ１２の光ディスク１４との相対位置精度は、光ディスク１４の半径方向より光ディスク１４のトラックの接線方向の方が厳しく要求されるため、板バネ部材３２とピックアップベース２０との接続及び板バネ部材３２と基台１８との接続を強固に行うことのできる図２の形状は、接線方向の位置決めを厳密に行える点で有利である。
【００４２】
もちろん、ピックアップベース２０の剛性より剛性の小さな部分が形成できれば、その形状は任意であり、例えば、単純な矩形でもよい。板バネ部材３２の材質は、剛性が高く光ディスク１４の半径方向の撓み及び接線方向の捻れを許容する部材であれば、任意であり、例えばステンレス鋼でもよい。
【００４３】
このように、本実施形態の板バネ部材３２と一対のネジ部材３４を用いた傾き調整機構によれば、一対のネジ部材３４の操作のみで、ピックアップベース２０を光ディスク半径方向及び光ディスクのトラック接線方向に傾き調整することができる。また、半径方向及び接線方向の傾き調整の組み合わせにより、光ディスク１４の情報記録面の法線と光ピックアップ１２の光軸とを正確かつ容易に一致させるように光ピックアップ１２の傾き補正を行うことが可能であり、同様な効果を得ることができる。
【００４４】
なお、本実施形態では、特に、ターンテーブル２４が凹面形状を呈している例を示したが、従来のように平面のターンテーブルの場合でも、各構成部品の加工精度や組み立て精度等による傾きは存在し、本願の板バネ部材３２と一対のネジ部材３４を用いた傾き調整機構により、その傾きを相殺することが可能であり、本実施形態と同様な効果を得ることができる。
【００４５】
また、各図の光ディスク装置としての構成は一例であり、光ピックアップ１２を支持するピックアップベース２０の一端が可撓性の板状部材で支持され、他方側を前記板状部材を中心にピックアップベース２０を基台１８に対して接離方向に変位させる、離間した一対の調整部材で支持され、光ピックアップ１２の光軸を光ディスク１４の情報記録面の法線と一致するように調整可能であれば、他の構成は適宜変更可能であり、その場合も本実施形態と同様な効果を得ることができる。
【図面の簡単な説明】
【００４６】
【図１】本実施形態に係る光ディスク装置の要部構成を説明する要部説明図である。
【図２】本実施形態に係る光ディスク装置のピックアップベースの構成を説明する上面概略図である。
【図３】本実施形態に係る光ディスク装置のピックアップベースの構成を説明する側面概略図である。
【符号の説明】
【００４７】
１０  光ディスク装置、１２  光ピックアップ、１２ａ  対物レンズ、１４  光ディスク、１６  ディスクトレー、１６ａ  収納位置、１８  基台、２０  ピックアップベース、２２  ブラケット、２４  ターンテーブル、２６  クランパ、２６ａ  シャフト、２８  昇降機構、３０  ガイドバー、３２  板バネ部材、３４  ネジ部材、３６  パッケージ、３８  ラック、４０  減速ギア、４０ａ  ギアボックス、４２  ピニオンギア、４４  モータ、４６  ギア、４８  リミットスイッチ、５０  開口部、５２  フランジ、５４  ガイドプレート、５６  コイルスプリング。
【図１】
2005116075.tif 000003
【図２】
2005116075.tif 000004
【図３】
2005116075.tif 000005